(57)【要約】【課題】複数の室内熱交換器の一部を凝縮器、残りを蒸発器として作動させそれぞれから温風と冷風を発生させる。【解決手段】空気調和装置５０は、室内熱交換器４，５と、流路切替弁６，７と、膨張弁８，９と、室外熱交換器３とを含む。流路切替弁６，７は、複数の室内熱交換器４，５の接続形態を直列接続と並列接続とに切り替えるとともに、直列接続の場合に最も上流側となる熱交換器を指定することができる。流路切替弁６，７は、室内交換機４，５および室外熱交換器３のうち少なくとも１つが凝縮器となり、かつ、少なくとも１つが蒸発器となるように冷媒回路を切り替えるように構成される。【選択図】図１
2019196851.tif 000002
【特許請求の範囲】
【請求項１】
冷房時には、ガス状態の冷媒を圧縮した後に凝縮させて液状態または二相状態とし、暖房時には、液状態または二相状態の前記冷媒を蒸発させてガス状態とした後に圧縮するように構成された室外機と、
前記冷房時には、液状態または二相状態の前記冷媒を前記室外機から受け膨張および蒸発させてガス状態として前記室外機に戻し、前記暖房時には、ガス状態の前記冷媒を前記室外機から受け凝縮および膨張させて液状態または二相状態として前記室外機に戻すように構成された室内機とを備え、
前記室内機は、
複数の室内熱交換器と、
前記複数の室内熱交換器を並列に接続する第１接続形態と、前記複数の室内熱交換器を直列に接続する第２接続形態とに切替可能に構成されるとともに、前記第１接続形態においては前記複数の室内熱交換器がともに蒸発器または凝縮機となり、前記第２接続形態においては前記複数の室内熱交換器のうち少なくとも１つが凝縮器となり、かつ、少なくとも１つが蒸発器となるように前記冷媒を膨張させる膨張切替機構とを含む、空気調和装置。
【請求項２】
前記室外機と前記室内機とを接続する第１配管および第２配管をさらに備え、
前記第１配管は、液状態または二相状態の前記冷媒を通過させ、
前記第２配管は、ガス状態の前記冷媒を通過させる、請求項１に記載の空気調和装置。
【請求項３】
前記膨張切替機構は、
前記複数の室内熱交換器の各々に対応して設けられる複数の膨張弁と、
前記複数の室内熱交換器の接続を前記第１接続形態と前記第２接続形態とに切替えるように構成された複数の流路切替弁とを含む、請求項２に記載の空気調和装置。
【請求項４】
前記室内機は、前記複数の室内熱交換器として第１室内熱交換器と第２室内熱交換器とを含み、
前記膨張切替機構は、
第１流路切替弁および第２流路切替弁と、
第１膨張弁および第２膨張弁とを含み、
前記第１流路切替弁および前記第２流路切替弁の各々は、第１〜第４ポートを有し、
前記第１流路切替弁および前記第２流路切替弁の各々は、前記第１ポートと前記第２ポートと第４ポートとが連通し、かつ前記第３ポートが閉止される第１状態と、前記第１ポートと前記第２ポートとが連通し、かつ前記第３ポートと前記第４ポートとが連通する第２状態と、前記第１ポートと前記第４ポートとが連通し、かつ前記第２ポートと前記第３ポートとが連通する第３状態とに内部流路を切替可能に構成され、
前記第１流路切替弁の第１ポートには前記第１配管が接続され、
前記第２流路切替弁の第１ポートには前記第２配管が接続され、
前記第１流路切替弁の第３ポートは前記第２流路切替弁の第３ポートに接続され、
前記第１流路切替弁の第２ポートと前記第２流路切替弁の第４ポートとの間には、前記第１膨張弁と前記第１室内熱交換器とが直列に接続され、
前記第１流路切替弁の第４ポートと前記第２流路切替弁の第２ポートとの間には、前記第２膨張弁と前記第２室内熱交換器とが直列に接続される、請求項２に記載の空気調和装置。
【請求項５】
前記複数の室内熱交換器にそれぞれ対応して設けられる複数の室内ファンと、
前記複数の室内ファンによって前記複数の室内熱交換器を通過した空気を互いに独立した方向に吹き分けることが可能に構成された風向制御装置とをさらに備える、請求項１に記載の空気調和装置。
【請求項６】
室内の温度分布を検知する検知装置と、
前記検知装置によって検出された温度分布に基づいて、前記複数の室内ファンおよび前記風向制御装置を制御する制御装置とをさらに備える、請求項５に記載の空気調和装置。
【発明の詳細な説明】
【技術分野】
【０００１】
この発明は、空気調和装置に関する。
【背景技術】
【０００２】
従来、空気調和機として、温度の高い気流と温度が低い気流の気流を吹き分けるものが知られている。特開２０１３−７６５５０号公報（特許文献１）には、クロスフローファンを囲むように２つに分割された室内熱交換器を配置し、吹き出し口から発生する風に温度差をつけることが可能な空気調和機が開示されている。
【先行技術文献】
【特許文献】
【０００３】
【特許文献１】特開２０１３−７６５５０号公報
【発明の概要】
【発明が解決しようとする課題】
【０００４】
しかしながら、上記特開２０１３−７６５５０号公報に記載された空気調和機の室内機の形態では、温風と冷風を上下左右に吹き分けようとしたとき、２つの温度の気流を分けることが不十分で温風と冷風が混合して吹出されるので、改善の余地がある。
【０００５】
この発明は、上記のような問題点を解決するためになされたものであり、その目的は、室内機内に独立した複数の熱交換器を有し、温風と冷風とを別々に発生させることができる空気調和装置を提供することである。
【課題を解決するための手段】
【０００６】
本開示の空気調和装置は、室外機と室内機とを備える。室外機は、冷房時には、ガス状態の冷媒を圧縮した後に凝縮させて液状態または二相状態とし、暖房時には、液状態または二相状態の冷媒を蒸発させてガス状態とした後に圧縮するように構成される。室内機は、冷房時には、液状態または二相状態の冷媒を室外機から受け膨張および蒸発させてガス状態として室外機に戻し、暖房時には、ガス状態の冷媒を室外機から受け凝縮および膨張させて液状態または二相状態として室外機に戻すように構成される。室内機は、複数の室内熱交換器と、膨張切替機構とを含む。膨張切替機構は、複数の室内熱交換器を並列に接続する第１接続形態と、複数の室内熱交換器を直列に接続する第２接続形態とに切替可能に構成されるとともに、第１接続形態においては複数の室内熱交換器がともに蒸発器または凝縮機となり、第２接続形態においては複数の室内熱交換器のうち少なくとも１つが凝縮器となり、かつ、少なくとも１つが蒸発器となるように冷媒を膨張させるように構成される。
【発明の効果】
【０００７】
本発明に係る空気調和装置によれば、室内機内に独立した複数の熱交換器を有し、従来の暖房運転と、従来の冷房運転に加え、一部の熱交換器を凝縮器、残りの熱交換器を蒸発器として作動させ温風と冷風を発生させ、快適な空間を実現することができる。
【図面の簡単な説明】
【０００８】
【図１】本実施の形態に係る空気調和装置の構成を示す図である。
【図２】空気調和装置を制御する制御装置について説明するためのブロック図である。
【図３】流路切替弁の接続パターンと空気調和装置の運転モードとの関係を示す図である。
【図４】流路切替弁の接続パターンＰ１について説明するための概略図である。
【図５】流路切替弁の接続パターンＰ２について説明するための概略図である。
【図６】流路切替弁の接続パターンＰ３について説明するための概略図である。
【図７】モードＭ１（冷房）における流路切替弁および四方弁の状態と冷媒の流れを示す図である。
【図８】モードＭ１（冷房）において、温度監視対象の移動または変更に基づいて２つの室内熱交換器から吹き出す空気温度を変更する様子を示すタイムチャートである。
【図９】モードＭ２（冷房）における流路切替弁および四方弁の状態と冷媒の流れを示す図である。
【図１０】モードＭ３（冷房）における流路切替弁および四方弁の状態と冷媒の流れを示す図である。
【図１１】モードＭ４（暖房）における流路切替弁および四方弁の状態と冷媒の流れを示す図である。
【図１２】モードＭ４（暖房）において、温度監視対象の移動または変更に基づいて２つの室内熱交換器から吹き出す空気温度を変更する様子を示すタイムチャートである。
【図１３】モードＭ５（暖房）における流路切替弁および四方弁の状態と冷媒の流れを示す図である。
【図１４】モードＭ６（暖房）における流路切替弁および四方弁の状態と冷媒の流れを示す図である。
【図１５】空気調和装置の各運転モードと構成要素の制御状態をまとめて示した図である。
【図１６】膨張切替機構の変形例を示す図である。
【発明を実施するための形態】
【０００９】
以下、図面に基づいて本発明の実施の形態を説明する。なお、以下の図面において同一または相当する部分には同一の参照番号を付しその説明は繰返さない。
【００１０】
図１は、本実施の形態に係る空気調和装置の構成を示す図である。図１を参照して、空気調和装置５０は、室外機５２と室内機５１とを備える。
【００１１】
室外機５２は、冷房時には、ガス状態の冷媒を圧縮した後に凝縮させて液状態または二相状態とし、暖房時には、液状態または二相状態の冷媒を蒸発させてガス状態とした後に圧縮するように構成される。
【００１２】
室内機５１は、冷房時には、液状態または二相状態の冷媒を室外機から受け膨張および蒸発させてガス状態として室外機５２に戻し、暖房時には、ガス状態の冷媒を室外機から受け凝縮および膨張させて液状態または二相状態として室外機５２に戻すように構成される。
【００１３】
空気調和装置５０は、圧縮機１と、四方弁２と、室外熱交換器３と、室外ファン１０とを備える。圧縮機１と、四方弁２と、室外熱交換器３と、室外ファン１０とは、室外機５２に配置される。
【００１４】
空気調和装置５０は、さらに、室内熱交換器４と、室内ファン１１と、室内熱交換器５と、室内ファン１２と、流路切替弁６，７と、膨張弁８，９と、風向制御装置１３，１４と、温度分布検知装置１５とを備える。室内熱交換器４と、室内ファン１１と、室内熱交換器５と、室内ファン１２と、流路切替弁６，７と、膨張弁８，９と、風向制御装置１３，１４と、温度分布検知装置１５とは、室内機５１に配置される。
【００１５】
室内機５１は、室内熱交換器４，５と、膨張切替機構８０とを含む。膨張切替機構８０は、室内熱交換器４，５を並列に接続する第１接続形態と、室内熱交換器４，５を直列に接続する第２接続形態とに切替可能に構成されるとともに、第１接続形態においては室内熱交換器４，５がともに蒸発器または凝縮機となり、第２接続形態においては室内熱交換器４，５のうち少なくとも１つが凝縮器となり、かつ、他の少なくとも１つが蒸発器となるように冷媒を膨張させるように構成される。
【００１６】
空気調和装置５０は、室外機５２と室内機５１とを接続する第１配管５３および第２配管５４をさらに備える。第１配管５３は、液状態または二相状態の冷媒を通過させ、第２配管５４は、ガス状態の冷媒を通過させる。
【００１７】
膨張切替機構８０は、複数の室内熱交換器４，５の各々に対応して設けられる複数の膨張弁８，９と、複数の室内熱交換器４，５の接続を第１接続形態と第２接続形態とに切替えるように構成された複数の流路切替弁６，７とを含む。
【００１８】
流路切替弁６，７は、複数の室内熱交換器４，５の接続形態を直列接続と並列接続との間で切り替えるとともに、直列接続の場合に最も上流側となる熱交換器を指定することができる。
【００１９】
膨張弁８，９は、複数の室内熱交換器４，５が直列接続された場合に内部圧力を損失させ、複数の室内熱交換器４，５が並列接続された場合に内部圧力を損失させつつ通過冷媒流量を制御する。
【００２０】
図１に示すように、空気調和装置５０は、複数の室内熱交換器４，５にそれぞれ対応して設けられる複数の室内ファン１１，１２と、複数の室内ファン１１，１２によって複数の室内熱交換器４，５を通過した空気を互いに独立した方向に吹き分けることが可能に構成された風向制御装置１３，１４とをさらに備える。
【００２１】
図２は、空気調和装置を制御する制御装置について説明するためのブロック図である。図１、図２に示すように、制御装置１００は、温度分布検知装置１５、室温センサ２１、圧力センサ２２から各種検出値を受け、リモコン２３から冷房運転、暖房運転の開始・停止や設定温度などを含む運転指令を受ける。
【００２２】
制御装置１００は、各種検出値および運転指令に基づいて、風向制御装置１３，１４、室内ファン１１，１２、膨張弁８，９、流路切替弁６，７、四方弁２、圧縮機１、室外ファン１０を制御する。
【００２３】
特に、制御装置１００は、室内の温度分布を検知する温度分布検知装置１５と、温度分布検知装置１５によって検出された温度分布に基づいて、複数の室内ファン１１，１２および風向制御装置１３，１４を制御するように構成される。温度分布検知装置１５としては、たとえば赤外線センサーや赤外線カメラ等を用いることができる。
【００２４】
次に、流路切替弁６，７について詳細に説明する。図３は、流路切替弁の接続パターンと空気調和装置の運転モードとの関係を示す図である。流路切替弁６と流路切替弁７の接続ポートを時計回りにＡ〜Ｄと割り当てる。流路切替弁６と流路切替弁７の各々は、内部のポート間経路接続パタ−ンが、少なくともＡ−ＢとＡ−Ｄ、Ａ−ＢとＣ−Ｄ、Ａ−ＤとＢ−Ｃの３通りを備える流路切替弁である。それぞれの経路の接続パターンを接続パターンＰ１，Ｐ２，Ｐ３とする。
【００２５】
接続パターンＰ１は、モードＭ１（冷房）およびＭ４（暖房）で使用され、接続パターンＰ２は、モードＭ２（冷房）およびＭ５（暖房）で使用され、接続パターンＰ３は、モードＭ３（冷房）およびＭ６（暖房）で使用される。モードＭ１〜Ｍ６については、後に図７〜９、図１１〜１３で説明することとし、まず接続パターンＰ１〜Ｐ３について説明する。
【００２６】
図４は、流路切替弁の接続パターンＰ１について説明するための概略図である。図５は、流路切替弁の接続パターンＰ２について説明するための概略図である。図６は、流路切替弁の接続パターンＰ３について説明するための概略図である。
【００２７】
流路切替弁６，７は同じ構成を有するので、代表として流路切替弁６について説明する。
【００２８】
流路切替弁６は、ポートＡと、ポートＢと、ポートＣと、ポートＤとを含む。流路切替弁６は、さらに、弁体４５２を内部でスライドさせるシリンダ４６０と、弁体４０２を内部でスライドさせるシリンダ４１０とを含む。
【００２９】
弁体４５２は、シリンダ４６０内に配置され、シリンダ４６０の軸方向に摺動自在に構成されている。弁体４５２は、中間ポート４１１と中間ポート４１２の何れか一方をポートＢに連通させ、他方を閉止するように構成される。
【００３０】
弁体４０２は、シリンダ４１０内に配置され、シリンダ４１０の軸方向に摺動自在に構成されている。弁体４０２はその中央部が逆Ｕ字状に加工されている。弁体４０２は、この逆Ｕ字状の部分によって、互いに隣接するポートＡ−Ｄの間またはポートＣ−Ｄの間で冷媒が流通できるように接続する。弁体４０２はさらに、中間ポート４１１または４１２に連通する貫通孔が設けられている。
【００３１】
弁体４０２は、異なる連通状態が形成される２つの位置をとることができる。弁体４０２は、第１位置に配置されると、中間ポート４１１をポートＡおよびポートＤに連通させるとともに、中間ポート４１２をポートＣに連通させる。弁体４０２は、第２位置に配置されると、中間ポート４１２をポートＤおよびポートＣに連通させるとともに、中間ポート４１１をポートＡに連通させる。
【００３２】
以下、流路切替弁６の弁体の位置と冷媒の流れについて説明する。図４には、接続パターンＰ１に対応する弁体４０２および弁体４５２の設定状態が示されている。
【００３３】
接続パターンＰ１では、弁体４５２は右方向に移動し、中間ポート４１２を閉止する一方で、ポートＢと中間ポート４１１とを連通させる。また、弁体４０２は、左方向に移動し、ポートＡとＤと中間ポート４１１とを連通させるとともに、ポートＣと中間ポート４１２を連通させる。その結果、暖房運転時に、ポートＢ、ポートＤおよびポートＡは、連通するとともにポートＣは非連通とされる。
【００３４】
図５には、接続パターンＰ２に対応する流路切替弁の弁体の設定状態が示されている。接続パターンＰ２では、弁体４５２は右方向に移動し、中間ポート４１２を閉止する一方で、ポートＢと中間ポート４１１とを連通させる。また、弁体４０２は、右方向に移動し、ポートＤとポートＣとを連通させるとともに、ポートＡと中間ポート４１１とを連通させる。その結果、ポートＣとポートＤとが互いに連通するとともに、ポートＢとポートＡとが互いに連通する。
【００３５】
図６には、接続パターンＰ３に対応する流路切替弁の弁体の設定状態が示されている。接続パターンＰ３では、弁体４５２は左方向に移動し、中間ポート４１１を閉止する一方で、ポートＢと中間ポート４１２とを連通させる。また、弁体４０２は、左方向に移動し、ポートＤとポートＡとを連通させるとともに、ポートＣと中間ポート４１２とを連通させる。その結果、ポートＡとポートＤとが互いに連通するとともに、ポートＢとポートＣとが互いに連通する。
【００３６】
以上説明したように、室内機５１は、複数の室内熱交換器として室内熱交換器４と室内熱交換器５とを含む。膨張切替機構８０は、流路切替弁６および流路切替弁７と、膨張弁８および膨張弁９とを含む。図３〜図６に示されるように、流路切替弁６および流路切替弁７の各々は、第１〜第４ポート（Ａ，Ｂ，Ｃ，Ｄ）を有する。流路切替弁６および流路切替弁７の各々は、ポートＡとポートＢとポートＤとが連通し、かつポートＣが閉止される接続パターンＰ１と、ポートＡとポートＢとが連通し、かつポートＣとポートＤとが連通する接続パターンＰ２と、ポートＡとポートＤとが連通し、かつポートＢとポートＣとが連通する接続パターンＰ３とに内部流路を切替可能に構成される。
【００３７】
続いて、本実施の形態の空気調和装置のモードＭ１〜Ｍ６について順に説明する。
[モードＭ１（冷房）]
図７は、モードＭ１（冷房）における流路切替弁および四方弁の状態と冷媒の流れを示す図である。
【００３８】
図７に示すように、流路切替弁６のポートＡには第１配管５３が接続される。流路切替弁７のポートＡには第２配管５４が接続される。流路切替弁６のポートＣは流路切替弁７のポートＣに接続される。流路切替弁６のポートＢと流路切替弁７のポートＤとの間には、膨張弁８と室内熱交換器４とが直列に接続される。流路切替弁６のポートＤと流路切替弁７のポートＢとの間には、膨張弁９と室内熱交換器５とが直列に接続される。なお、この接続関係は、図８〜図９、図１１〜図１３でも共通である。
【００３９】
モードＭ１（冷房）は、２つの室内熱交換器４，５から冷風を吹き出す運転形態である。室内熱交換器４を蒸発器、室内熱交換器５を蒸発器、室外熱交換器３を凝縮器として作用させるために、第１室内流路切替弁６と第２室内流路切替弁７の経路は図３の接続パターンＰ１に設定し、膨張弁８の開度を小、膨張弁９の開度を小とする。このように制御することで２つの室内熱交換器から冷風を吹き出すことができる。
【００４０】
また、モードＭ１では、２つの膨張弁８，９の開度に異なる値を用いると、２つの室内熱交換器４，５の冷媒流量が異なり、熱交換能力に差が出ることで、吹き出す空気温度に差を付けることができる。
【００４１】
図８は、モードＭ１（冷房）において、温度監視対象の移動または変更に基づいて２つの室内熱交換器から吹き出す空気温度を変更する様子を示すタイムチャートである。図８では、室内熱交換器４から吹き出す空気温度と室内熱交換器５から吹き出す空気温度を交換する様子が示されている。
【００４２】
モードＭ１（冷房）によれば、２つの膨張弁８，９の開度が異なるとき、それらの値を交換することで、室内熱交換器４から吹き出す空気温度と室内熱交換器５から吹き出す空気温度とを交換することができる。このように制御することにより、温度監視対象の移動や変更に合わせて２つの室内熱交換器の温度を調節することができる。
【００４３】
また、図８に示すように、２つの室内膨張弁の開度の制御を時間経過と共に徐々に行なうことで、室内熱交換器４，５から吹き出す空気温度を徐々に変化させることができる。このように制御することにより、在室者に急な温度変化による不快感を与えることを防ぐことができる。
【００４４】
[モードＭ２（冷房）]
以上のモードＭ１（冷房）は、冷風を２方向に吹出すことができる運転形態であるが、モードＭ２（冷房）は、室内温度を下降または維持させながら、室温が上昇しない程度の温風を室内熱交換器４から発生させる運転モードである。
【００４５】
図９は、モードＭ２（冷房）における流路切替弁および四方弁の状態と冷媒の流れを示す図である。
【００４６】
室内熱交換器４を凝縮器、室内熱交換器５を蒸発器、室外熱交換器３を凝縮器として作用させるために、第１室内流路切替弁６と第２室内流路切替弁７の経路は図３の接続パターンＰ２に設定する。膨張弁８の開度を大、膨張弁９の開度を小とし、室外熱交換器３での凝縮能力を調整することで室内熱交換器４での凝縮能力が室内熱交換器５での蒸発熱量と同等かまたは下回るように２つの膨張弁８，９の開度を制御する。このように一部の凝縮能力を室外熱交換器３にて熱交換させることで、室内熱交換器４の凝縮能力が常に室内熱交換器５の蒸発能力以下となるように制御する。これにより、室内温度を下降または維持させながら、室内熱交換器４から温風を発生させることが可能となる。
【００４７】
また、モードＭ２（冷房）においても、２つの膨張弁８，９の開度の制御を時間経過と共に徐々に行なって、室内熱交換器から吹き出す空気温度を徐々に推移させることができ、在室者に急な温度変化による不快感を与えることを防ぐことができる。
【００４８】
［モードＭ３（冷房）］
以上のモードＭ２（冷房）は、室内温度を下降または維持させながら、室温が上昇しない程度の温風を室内熱交換器４から発生させる運転形態であるが、モードＭ３（冷房）は、室内温度を下降または維持させながら、室温が上昇しない程度の温風を室内熱交換器５から発生させる運転形態である。
【００４９】
図１０は、モードＭ３（冷房）における流路切替弁および四方弁の状態と冷媒の流れを示す図である。
【００５０】
室内熱交換器４を蒸発器、室内熱交換器５を凝縮器、室外熱交換器３を凝縮器として作用させるために、第１室内流路切替弁６と第２室内流路切替弁７の経路は図３の接続パターンＰ３に設定する。膨張弁８の開度を小、膨張弁９の開度を大とし、室外熱交換器３での凝縮能力を調整することで室内熱交換器５での凝縮能力が室内熱交換器４での蒸発熱量と同等かまたは下回るように、２つの膨張弁８，９の開度を調整する。このように一部の凝縮能力を室外熱交換器３にて熱交換させることで、室内熱交換器５の凝縮能力が常に室内熱交換器４の蒸発能力以下となるように制御する。これにより、室内温度を下降または維持させながら、室内熱交換器５から温風を発生させることが可能となる。
【００５１】
また、モードＭ３（冷房）においても、２つの室内膨張弁の開度の制御を時間経過と共に徐々に行なって、室内熱交換器から吹き出す空気温度を徐々に推移させることができ、在室者に急な温度変化による不快感を与えることを防ぐことができる。
【００５２】
また、モードＭ２、Ｍ３において、図８のように膨張弁８の開度と膨張弁９の開度を切り替えるとともに、吹き出し温度が等しくなった時刻ｔ１で流路切替弁を接続パターンＰ２から接続パターンＰ３に切り替える。これによって、モードＭ２（冷房）とモードＭ３（冷房）を自然に切り替えることができ、室内熱交換器４から吹き出す空気温度と室内熱交換器５から吹き出す空気温度とを交換することができる。このように制御することにより、温度監視対象の移動や変更に合わせて２つの室内熱交換器の温度を交換することができる。
【００５３】
［モードＭ４（暖房）］
以上のモードＭ１〜Ｍ３は、冷房運転に関する運転形態であるが、モードＭ４（暖房）は、暖房運転の運転形態である。
【００５４】
図１１は、モードＭ４（暖房）における流路切替弁および四方弁の状態と冷媒の流れを示す図である。
【００５５】
室内熱交換器４を凝縮器、室内熱交換器５を凝縮器、室外熱交換器３を蒸発器として作用させるために、第１室内流路切替弁６と第２室内流路切替弁７の経路は図３の接続パターンＰ１に設定する。膨張弁８の開度を小、膨張弁９の開度を小とする。このように制御することで２つの室内熱交換器４，５から温風を吹き出すことができる。
【００５６】
次に制御の一例を記す。図１２は、モードＭ４（暖房）において、温度監視対象の移動または変更に基づいて２つの室内熱交換器から吹き出す空気温度を変更する様子を示すタイムチャートである。
【００５７】
モードＭ４（暖房）によれば、２つの膨張弁８，９の開度が異なるとき、それらの値を交換することで、室内熱交換器４から吹き出す空気温度と室内熱交換器５から吹き出す空気温度とを交換することができる。このように制御することにより、温度監視対象の移動や変更に合わせて２つの室内熱交換器４，５の温度を交換することができる。
【００５８】
また、図１２に示すように、２つの膨張弁８，９の開度の制御を時間経過と共に徐々に行なうことで、室内熱交換器４，５から吹き出す空気温度を徐々に変化させることができる。このように制御することにより、在室者に急な温度変化による不快感を与えることを防ぐことができる。
【００５９】
［モードＭ５（暖房）］
モードＭ４（暖房）は、従来と同様の暖房運転に加え、温度の異なる温風を２方向に吹出すことができる運転形態であるが、モードＭ５（暖房）は、室内温度を上昇または維持させながら、室温が下降しない程度の冷風を室内熱交換器４から発生させる運転形態である。
【００６０】
図１３は、モードＭ５（暖房）における流路切替弁および四方弁の状態と冷媒の流れを示す図である。
【００６１】
室内熱交換器４を蒸発器、室内熱交換器５を凝縮器、室外熱交換器３を蒸発器として作用させるために、第１室内流路切替弁６と第２室内流路切替弁７の経路は図３の接続パターンＰ２に設定し、膨張弁８の開度を大、膨張弁９の開度を小とする。このように制御することで室内温度を上昇または維持させながら、室内熱交換器４から冷風を発生させることが可能となる。
【００６２】
また、モードＭ５（暖房）においても、２つの室内膨張弁の開度の制御を時間経過と共に徐々に行なって、室内熱交換器から吹き出す空気温度を徐々に推移させることができ、在室者に急な温度変化による不快感を与えることを防ぐことができる。
【００６３】
［モードＭ６（暖房）］
モードＭ５（暖房）は、室内温度を上昇または維持させながら、室温が下降しない程度の冷風を室内熱交換器４から発生させる運転形態であるが、モードＭ６（暖房）は、室内温度を上昇または維持させながら、室温が下降しない程度の冷風を室内熱交換器５から発生させる運転形態である。
【００６４】
図１４は、モードＭ６（暖房）における流路切替弁および四方弁の状態と冷媒の流れを示す図である。
【００６５】
室内熱交換器４を凝縮器、室内熱交換器５を蒸発器、室外熱交換器３を蒸発器として作用させるために、第１室内流路切替弁６と第２室内流路切替弁７の経路は図３の接続パターンＰ３に設定し、膨張弁８の開度を小、膨張弁９の開度を大に制御する。このように制御することで室内温度を上昇または維持させながら、室内熱交換器５から冷風を発生させることが可能となる。
【００６６】
また、モードＭ６（暖房）においても、２つの室内膨張弁の開度の制御を時間経過と共に徐々に行なって、室内熱交換器から吹き出す空気温度を徐々に推移させることができ、在室者に急な温度変化による不快感を与えることを防ぐことができる。
【００６７】
また、図１２のように膨張弁８の開度と膨張弁９の開度を切り替えるとともに、吹き出し温度が等しくなった時刻ｔ１１で流路切替弁を接続パターンＰ２から接続パターンＰ３に切り替える。これによって、モードＭ５（暖房）とモードＭ６（暖房）を自然に切り替えることができ、室内熱交換器４から吹き出す空気温度と室内熱交換器５から吹き出す空気温度とを交換することができる。このように制御することにより、温度監視対象の移動や変更に合わせて２つの室内熱交換器の温度を交換することができる。
【００６８】
以上説明したように、本実施の形態に係る空気調和装置によれば、室内機内に独立した２つの熱交換器を配置する。そして、２つの熱交換器を蒸発器として作動させる冷房運転（モードＭ１）と、２つの熱交換器を凝縮器として作動させる暖房運転（モードＭ４）に加え、一方を凝縮器、他方を蒸発器として作動させる運転モード（モードＭ２、Ｍ３，Ｍ５，Ｍ６）を有する。２つの熱交換器の一方を凝縮器、他方を蒸発器として作動させ温風と冷風を発生させる場合に、温風または冷風をどちらの熱交換器から発生させたときでも、温風と冷風の温度を調整することによって冷房時には室内温度を維持または低下させ、暖房時には室内温度を維持または上昇させることができる。
【００６９】
図１５は、空気調和装置の各運転モードと構成要素の制御状態をまとめて示した図である。図１５には、上から順にモードＭ１〜Ｍ６における構成要素の制御状態が示される。図１および図１５を参照して、運転モードの冷房と暖房の切替については四方弁２によって行なうことができる。流路切替弁６，７を接続パターンＰ１〜Ｐ３のいずれかに設定することによって、冷房運転時にはモードＭ１〜Ｍ３のいずれかを選択でき、暖房運転時にはモードＭ４〜Ｍ６のいずれかを選択できる。
【００７０】
各運転モードにおいて、図１５に示すように膨張弁８，９の各開度が設定され、熱交換器３〜５は図１５に示すように蒸発器または凝縮器として動作する。
【００７１】
また、図１に示すように、風向調整フラップおよびルーバーによって構成された風向制御装置１３，１４が室内熱交換器４，５に個別に設けられているので、室内熱交換器４，５から温風と冷風を発生させた場合に、複数の気流を混合させずに上下左右に吹き分けることができる。好ましくは、温度分布検知装置１５によって、体温が高い人、低い人を検出し、各人に適温の風を室内熱交換器４，５によって発生させ、風向制御装置１３，１４によって送り届けることができる。
【００７２】
（変形例）
以上説明した実施の形態では、室内機の膨張切替機構８０を図１に示すように２つの膨張弁８，９と２つの流路切替弁６，７によって構成したが、膨張切替機構８０の構成はこれには限定されず種々に変形することが可能である。変形例の１例を紹介する。
【００７３】
図１６は、膨張切替機構の変形例を示す図である。図１６を参照して、変形例の室内機５１Ａは、室内熱交換器４，５と膨張切替機構８０Ａとを含む。
【００７４】
膨張切替機構８０Ａは、ブリッジ状に接続された膨張弁６１〜６４と、ブリッジ状に接続された膨張弁７１〜７４とを含む。
【００７５】
膨張弁６１，６４，７１，７４を適切な開度に制御し、膨張弁６２，６３，７２，７３を閉止すれば、図１５の接続パターンＰ１が実現できる。膨張弁６１，６３，７１，７３を適切な開度に制御し、膨張弁６２，６４，７２，７４を閉止すれば、図１５の接続パターンＰ２が実現できる。膨張弁６２，６４，７２，７４を適切な開度に制御し、膨張弁６１，６３，７１，７３を閉止すれば、図１５の接続パターンＰ１が実現できる。このような膨張切替機構８０Ａを備えた室内機５１Ａを採用しても、室内機５１を採用する場合と同様な効果を得ることができる。
【００７６】
今回開示された実施の形態は、すべての点で例示であって制限的なものではないと考えられるべきである。本発明の範囲は、上記した実施の形態の説明でなくて特許請求の範囲によって示され、特許請求の範囲と均等の意味および範囲内でのすべての変更が含まれることが意図される。
【符号の説明】
【００７７】
１  圧縮機、２  四方弁、３  室外熱交換器、４，５  室内熱交換器、６，７  流路切替弁、８，９，６１，６２，６３，６４，７１，７２，７３，７４  膨張弁、１０  室外ファン、１１，１２  室内ファン、１３，１４  風向制御装置、１５  温度分布検知装置、２１  室温センサ、２２  圧力センサ、２３  リモコン、５０  空気調和装置、５１，５１Ａ  室内機、５２  室外機、５３  第１配管、５４  第２配管、８０，８０Ａ  膨張切替機構、１００  制御装置、４０２，４５２  弁体、４１０，４６０  シリンダ、４１１，４１２  中間ポート、Ａ，Ｂ，Ｃ，Ｄ  ポート。
【図１】
2019196851.tif 000003
【図２】
2019196851.tif 000004
【図３】
2019196851.tif 000005
【図４】
2019196851.tif 000006
【図５】
2019196851.tif 000007
【図６】
2019196851.tif 000008
【図７】
2019196851.tif 000009
【図８】
2019196851.tif 000010
【図９】
2019196851.tif 000011
【図１０】
2019196851.tif 000012
【図１１】
2019196851.tif 000013
【図１２】
2019196851.tif 000014
【図１３】
2019196851.tif 000015
【図１４】
2019196851.tif 000016
【図１５】
2019196851.tif 000017
【図１６】
2019196851.tif 000018